(57)【特許請求の範囲】
【請求項１】
ガラス面を清掃するためのヘッドと、該ヘッドに角度変更可能なるように連結された操作用の柄とからなり、
上記ヘッドが、横長形状をなす基台の前面上端部に、ガラス面の水滴を除去するためのへら部材を有すると共に、上記基台の前面下端部に、ガラス面を摺擦するためのスポンジ体を有し、かつ、上記基台の前面の上記へら部材とスポンジ体との間の位置に、含水状態のスポンジ体を圧接させて搾水するための搾水部が、上記スポンジ体と隣接し且つヘッドの前面に向けて露出した状態に設けられ、
上記基台は第１部材と第２部材とからなっていて、第１部材に上記柄が取付けられ、第２部材は、上記スポンジ体が取付けられたスポンジ体取付部と上記搾水部とを、該搾水部の下端部に上記スポンジ体取付部を折曲自在に連結することにより形成され、上記搾水部が上記第１部材に取付けられ、上記スポンジ体取付部は、搾水時に上記搾水部側に折り返して上記スポンジ体を該搾水部に圧接させるように構成されていることを特徴とするガラス用清掃具。
【請求項２】
上記スポンジ体取付部は、フックによって上記第１部材に対して係脱自在であることを特徴とする請求項１に記載の清掃具。
【請求項３】
上記柄が、基台上部のへら部材側に偏寄した位置に連結されていることを特徴とする請求項１又は２に記載の清掃具。
【請求項４】
上記スポンジ体の摺擦面に払拭布が取付けられていることを特徴とする請求項１から３までの何れかに記載の清掃具。
【発明の詳細な説明】
【０００１】
【発明の属する技術分野】
本発明は、窓ガラス等に付着した汚れや水滴等を除去するためのガラス用清掃具に関するものであり、さらに詳しくは、水を使用したガラス面の払拭と水滴の除去とを一時的に行なうことができるガラス用清掃具に関するものである。
なお、本発明において「水」とは、水道水のような通常の水だけでなく、洗剤溶液等の洗浄液をもその概念に含むものとする。
【０００２】
【従来の技術】
一般に、窓ガラスの清掃を行なう場合には、先ず、水をスプレーによってガラス面に吹き付けるか、雑巾やスポンジ体などの吸水部材に含浸させて供給し、その後で、へら部材を備えたＴ字形の水滴ワイパーでガラス面に付着した水や汚れ等を除去するのが通常である。
【０００３】
しかしながら、上記従来の方法は、ガラス面に対する水の供給とその除去とを異なる２種類の清掃用具を使用して別々に行わなければならないため、それらの用具の取扱いや使い分けが面倒で非常に手間がかかり、場所によっては更に手間がかかったり清掃が困難になるといったケースもあった。例えば、高窓や吹き抜け部分の窓のような高所にある窓ガラス等を清掃するような場合には、水をスプレーで吹き付けるのはほぼ不可能であり、吸水部材に含浸させて供給したあとワイパーを使用する方法も、長い柄を取付けた吸水部材とワイパーとを、差し上げたりたぐり寄せたりしながら頻繁に使い分けなければならないため、作業に非常に手間がかかって面倒であり、大きな力も必要として重労働である。
【０００４】
一方、実公昭５８−１６３７３号公報には、外広がり状に傾斜する左右の溝壁を備えた溝形ホルダを柄の先端にＴ字形に取付け、この溝形ホルダの一方の溝壁にゴム製のワイパーブレードを取付けると共に、他方の溝壁にスポンジ製の研磨部材を取付けた構成を持つ清掃具が開示されていて、研磨部材に洗浄液を含浸させてガラス面を研磨したあと、ワイパーブレードでガラス面に付着した洗浄液を除去するといった使い方ができるということが示されている。この清掃具によれば、２種類の清掃具を別々に用意して使い分ける必要がないため、清掃作業は比較的簡単である。
【０００５】
しかしながら、上記清掃具は、上記ワイパーブレードと研磨部材とが、溝形ホルダの左右の溝壁の互いに離れた位置に異なる方向を向くように取付けられているため、研磨部材を使用するときとワイパーブレードを使用するときとで、清掃具の向きを前後に１８０反転させなければならず、操作が面倒で手間がかかる。しかも、研磨部材を搾って洗浄液の含浸量を調整する場合には、手で直接圧縮して搾るか又は他のものに押し付けて搾るしか方法がないため、洗浄液の含浸量を調整する作業も面倒である。
【０００６】
【発明が解決しようとする課題】
本発明の技術的課題は、スポンジ体とへら部材とを使い分けることによってガラス面の洗浄と水滴の除去とを簡単に行うことができると共に、スポンジ体を圧搾することによって該スポンジ体の含水量を簡単に調整することができる、作業性に優れたガラス用清掃具を提供することにある。
【０００７】
【課題を解決するための手段】
上記課題を解決するため、本発明のガラス用清掃具は、ガラス面を清掃するためのヘッドと、該ヘッドに角度変更可能なるように連結された操作用の柄とからなり、上記ヘッドが、横長形状をなす基台の前面上端部に、ガラス面の水滴を除去するためのへら部材を有すると共に、上記基台の前面下端部に、ガラス面を摺擦するためのスポンジ体を有し、かつ、上記基台の前面の上記へら部材とスポンジ体との間の位置に、含水状態のスポンジ体を圧接させて搾水するための搾水部が、上記スポンジ体と隣接し且つヘッドの前面に向けて露出した状態に設けられ、上記基台は第１部材と第２部材とからなっていて、第１部材に上記柄が取付けられ、第２部材は、上記スポンジ体が取付けられたスポンジ体取付部と上記搾水部とを、該搾水部の下端部に上記スポンジ体取付部を折曲自在に連結することにより形成され、上記搾水部が上記第１部材に取付けられ、上記スポンジ体取付部は、搾水時に上記搾水部側に折り返して上記スポンジ体を該搾水部に圧接させるように構成されていることを特徴とするものである。
【０００８】
上記構成を有するガラス用清掃具は、予め水を含ませたスポンジ体をガラス面に押付けて該ガラス面を摺擦する作業と、ガラス面に付着した水滴をへら部材で除去する作業とを、ヘッドの角度を変えて上記スポンジ体とへら部材とを使い分けることにより、従来品のようにヘッドの向きを１８０度変更するといったような面倒な操作を行うことなく、簡単に行うことができる。従って、従来は雑巾等と水滴ワイパーとの２種類の清掃具を使用して行なっていた清掃作業を、１つの清掃具で行なうことができるため、複数の清掃具をいちいち交換する手間が省けて清掃作業が非常に簡単で楽である。
【０００９】
また、スポンジ体の含水量を調整する場合には、上記スポンジ体取付部と搾水部とを折曲して該搾水部をスポンジ体に圧接させれば良く、これにより、洗浄液で手を濡らすことなくスポンジ体を搾ることができる。
【００１０】
本発明の具体的な構成態様によれば、上記スポンジ体取付部は、フックによって上記第１部材に対して係脱自在であるように構成される。
【００１２】
本発明において好ましくは、上記柄が、基台上部のへら部材側に偏寄した位置に連結されていることである。これにより、柄による操作力をへら部材に確実かつ有効に伝えることができ、水切り効果が高まる。
【００１３】
本発明においてはさらに、上記スポンジ体の摺擦面に払拭布を取付けておくことができる。これにより、払拭布でガラス面の汚れを拭取ることができる。
【００１４】
【発明の実施の形態】
図１〜図４は本発明に係るガラス用清掃具の代表的な一つの実施形態を示すもので、この清掃具１は、操作用の柄２と、該柄２の先端に略Ｔ字形をなすように連結されたヘッド３とからなっている。
【００１５】
上記ヘッド３は、左右に細長い形をした基台４の前面に、ガラス面の水滴を擦り取るためのエッジ５ａを有するへら部材５と、ガラス面を摺擦するための摺擦面６ａを有するスポンジ体６とを、それらのエッジ５ａ及び摺擦面６ａをともに基台４の前方に向けた状態で取付けたものである。この場合、上記へら部材５は基台４の前面上端縁に沿って取付けられ、スポンジ体６は、該へら部材５よりも下方位置に取付けられている。
【００１６】
これらの構成について更に詳細に説明すると、上記基台４は、合成樹脂からなる第１部材１１と、該第１部材１１に着脱自在に取付けられた第２部材１２とで形成されている。上記第１部材１１には上記柄２が、第１及び第２の２つの回動自在の連結部８，９によって角度変更可能なるように連結されている。第１の連結部８は、ヘッド３の背面の長手方向中央部における上端部寄りの位置に設けられていて、該ヘッド３と柄２の先端部材２ａとを、ヘッド３の軸線と平行する連結軸８ａにより回動自在に連結するもので、図３に鎖線で示すように、この連結軸８ａを中心にして柄２を、ヘッド３の軸線と直交する面内で回動させ得るようになっている。また、第２の連結部９は、上記先端部材２ａと柄２とをヘッド３の軸線と直交する連結軸９ａにより回動自在に連結するもので、図１に鎖線で示すように、この連結軸９ａを中心にして柄２を、ヘッド３の軸線と平行する面内で回動させ得るようになっている。
【００１７】
このように柄２を、ヘッド３の軸線と直交する方向と平行する方向のうち少なくとも一方向に角度調整自在とすることにより、ガラス面の高さや向き、角度等に応じて柄２の角度を変えることにより、上記へら部材５及びスポンジ体６を該ガラス面に適正な角度で確実に押し当てることができる。また、窓ガラスの外面を横位置から清掃することも可能となる。
【００１８】
また、上記柄２は中空パイプ状をなしていて、図示しない延長用の補助柄を差し込んで接続可能なるように構成されており、手の届く位置にあるガラス面を清掃する場合は該柄２を直接握持して清掃を行い、手の届かない位置にあるガラス面を清掃する場合は補助柄を差し込んで延長し、長尺化した状態で清掃を行うことができるようになっている。
なお、上記柄２は、接続式以外にも、伸縮により長さ調節自在なるように構成することもできる。
【００１９】
一方の第２部材１２は、上記スポンジ体６を取付けるためのスポンジ体取付部１２ａと、含水状態のスポンジ体６に圧接して搾水するための搾水部１２ｂとを有し、これらの搾水部１２ｂとスポンジ体取付部１２ａとが、上下に隣接するように配置されて連結軸１３で折曲自在なるように連結されている。そして、上記搾水部１２ｂを螺子１４で第１部材１１に着脱自在に取付けることにより、スポンジ体取付部１２ａの方を折曲操作してスポンジ体６を搾水部１２ｂに圧接させるように構成されている。また、上記スポンジ体取付部１２ａの下端縁にはフック１５が形成されていて、このフック１５を第１部材１１に係止させることにより、スポンジ体６によるガラス面の摺擦時に該スポンジ体取付部１２ａを摺擦位置にロックできるようになっている。
【００２０】
上記スポンジ体６は、接着剤や両面接着テープ等の接着手段によって上記スポンジ体取付部１２ａに剥離自在なるように取付けられている。この場合、該スポンジ体６の交換時における剥離を容易にするため、上記スポンジ体取付部１２ａの下端部におけるスポンジ体６の接着端の位置に、該スポンジ体６や接着テープ等を摘持できるような切込みを幾つか形成しておくことが望ましい。
【００２１】
また、上記スポンジ体６の表面には、必要に応じて不織布製の払拭布１７を、接着や巻付け等の適宜手段で被着することができる。この払拭布１７は、それを構成する繊維の一部又は全部に、繊維径が１〜９μｍの超極細繊維及び１０〜３０μｍの極細繊維のうち少なくとも一方を含むもので、このような払拭布１７をスポンジ体６の表面に被着することにより、ガラス面の汚れをこの払拭布１７で確実に拭き取ることができる。
【００２２】
さらに、上記へら部材５は、ゴムや軟質合成樹脂などで平板状に形成したもので、上記第１部材１１と第２部材１２における搾水部１２ｂとの間に形成された溝状のへら取付部１８内に、エッジ５ａを斜め上方に向けて傾斜した状態に取付けられている。
【００２３】
上記構成を有するガラス用清掃具１は、スポンジ体６を水に浸して十分含水させあと、該スポンジ体６を搾水して水が滴り落ちない程度の含水率となるように調整する。その搾水は、第２部材１２におけるスポンジ体取付部１２ａのフック１５を第１部材１１から外し、図４に示すように、該スポンジ体取付部１２ａを回動させてそれに取付けられているスポンジ体６を搾水部１２ｂに圧接させることにより行う。搾水が終わったあと上記スポンジ体取付部１２ａを図３に示す摺擦位置まで戻し、フック１５を第１部材１１に係止させておく。
【００２４】
そして、柄２の傾斜角度を少しずつ変えながら、上記スポンジ体６をガラス面に押付けて該ガラス面を摺擦する作業と、ガラス面に付着した水滴をへら部材５で除去する作業とを行う。これにより、スポンジ体６によるガラス面への水の供給と汚れの拭取りとを行うことができると同時に、へら部材５３でガラス面上に残っている水滴や拭き残した汚れ等を擦り取ることができる。
【００２５】
かくして上記清掃具１によれば、従来は雑巾等と水滴ワイパーとの２種類の清掃用具で行なっていた清掃作業を１つの清掃具１で、しかも同時に行なうことができるため、清掃用具をいちいち交換する手間が省け、清掃作業が非常に簡単で楽である。
【００２６】
しかも、上記へら部材５で擦り取られてガラス面を流下する水滴をスポンジ体６に再吸収させることができるため、該スポンジ体６を常に水を含んだ状態に維持することができ、あらためて水を含ませる作業を大幅に少なくすることができる。このため、高窓や吹き抜け部分の窓のような、高所に形成された窓ガラス等を清掃する場合であっても、清掃具１の上げ下げを行なう回数を減らすことができ、作業が簡単で効率的である。
【００２７】
清掃作業が終了したあとや、汚れたスポンジ体６を清浄化する場合には、該スポンジ体６を水洗いしたあと上述した方法で搾水して乾燥させれば良い、この場合、該スポンジ体６が取付けられている第２部材１２を第１部材１１から一旦取外しても良い。
【００２８】
また、上記スポンジ体６や払拭布１７等が破損したり摩耗あるいは劣化したような場合には、それらを新しいものと交換すれば良い。この場合、スポンジ体６や払拭布１７だけを交換するようにしても、第２部材１２ごと交換するようにしても良い。
【００２９】
上記実施例では、第２部材１２の搾水部１２ｂを第１部材１１に固定することにより、スポンジ体取付部１２ａの方を折曲操作してそれに取付けられているスポンジ体６を搾水部１２ｂに圧接させるようにしているが、それとは逆に、スポンジ体取付部１２ａを第１部材１１に固定することにより、搾水部１２ｂの方を折曲操作してスポンジ体６に圧接させるように構成することもできる。この場合には、該搾水部１２ｂに上記フック１５が形成される。
【００３０】
【発明の効果】
以上に詳述したように、本発明のガラス用清掃具によれば、１つの清掃具を使用して、含水スポンジ体によるガラス面の摺擦と、へら部材による水滴の除去とを、同時にしかもヘッドの向きを前後に１８０反転させるといった面倒な操作を行うことなく簡単に行うことができ、作業性に優れる。
また、スポンジ体の含水量を調整する場合には、上記スポンジ体取付部と搾水部とを折曲して該搾水部をスポンジ体に圧接させて搾れば良く、これにより、洗浄液で手を濡らすことなくスポンジ体を搾ることができる。
【図面の簡単な説明】
【図１】本発明に係る清掃具の第１実施例を示す正面図である。
【図２】同背面図である。
【図３】図２におけるＡ−Ａ線での断面図である。
【図４】搾水時の状態を示す図３と同様位置での断面図である。
【符号の説明】
１    清掃具
２    柄
３    ヘッド
４    基台
５    へら部材
６    スポンジ体
１１    第１部材
１２    第２部材
１２ａ    スポンジ体取付部
１２ｂ    搾水部
１７    払拭布
１８    へら取付部
【図１】
0004740437.tif 000002
【図２】
0004740437.tif 000003
【図３】
0004740437.tif 000004
【図４】
0004740437.tif 000005